(57)【特許請求の範囲】
【請求項１】
壁面に取付けたブラケットを手前へ張り出し、ブラケットにカウンター本体を連結し、カウンター本体の下方に配置したカバーの壁側接合部をブラケットの壁側取付部に取付具で連結した浴室用カウンターの取付け構造において、前記ブラケットの壁側取付部に手前側へ向かって上り傾斜した取付片を形成すると共に、前記カバーの壁側接合部に側面が三角形の凹部を凹設し、この凹部の後側を壁側へ向かって下り傾斜した接合片で形成し、取付片に接合片を重ね合わせた箇所に前記取付具を、取付けのためのねじ込み方向がカバーの下方から壁側へ向かって斜め上方となるようにして、取付片と接合片を連結したことを特徴とする浴室用カウンターの取付け構造。
【請求項２】
前記カウンター本体に前記カバーの手前側を連結し、前記ブラケットに設けた押圧片で前記カウンター本体に設けた係止片を壁側へ向かって押圧し、カウンター本体を前記壁面に圧着した請求項１に記載の浴室用カウンターの取付け構造。
【発明の詳細な説明】
【技術分野】
【０００１】
本発明は、カウンター本体の下方にカバーを配置した浴室用カウンターを壁面に取付ける構造に関するものである。
【背景技術】
【０００２】
従来、カウンターの取付け構造は、壁面に取付けたブラケットを手前へ張り出し、ブラケットにカウンター本体を連結し、カウンター本体の下方に配置したカバーの手前側をカウンター本体に連結すると共にカバーの壁側をブラケットにネジで連結したものがある（特許文献１）。
【特許文献１】特開２００７−９７７４８号公報
【発明の開示】
【発明が解決しようとする課題】
【０００３】
ところで、前記カウンターの取付け構造は、ブラケットにカバーの壁側を連結するネジが鉛直な上向き状態で螺着しているため、ネジをねじ込むドライバーを鉛直な上向き状態で且つ壁面に接近させた状態でねじ込み作業を行なう必要があり、ネジの螺着作業が難しくなる問題を招くことがある。
【０００４】
本発明は、上記問題を解決するために、ブラケットにカバーの壁側を連結する取付具のねじ込み作業が容易にできる浴室用カウンターの取付け構造の提供を目的とする。
【課題を解決するための手段】
【０００５】
ブラケットにカバーの壁側を連結する取付具のねじ込み作業を容易にするために請求項１記載の本発明が採用した手段は、壁面に取付けたブラケットを手前へ張り出し、ブラケットにカウンター本体を連結し、カウンター本体の下方に配置したカバーの壁側接合部をブラケットの壁側取付部に取付具で連結した浴室用カウンターの取付け構造において、前記ブラケットの壁側取付部に手前側へ向かって上り傾斜した取付片を形成すると共に、前記カバーの壁側接合部に側面が三角形の凹部を凹設し、この凹部の後側を壁側へ向かって下り傾斜した接合片で形成し、取付片に接合片を重ね合わせた箇所に前記取付具を、取付けのためのねじ込み方向がカバーの下方から壁側へ向かって斜め上方となるようにして、取付片と接合片を連結したことを特徴とする浴室用カウンターの取付け構造である。なお、前記カバーは、その手前側を前記カウンター本体または前記ブラケットに連結してある。
【０００６】
請求項１記載の本発明は、ねじ込み方向がカバーの下方から壁側へ向かって斜め上方となるように取付具をねじ込んで、取付片と接合片を連結してあるため、壁面及びカバー表面から離れた状態のねじ込み作業工具で壁面及びカバー表面と干渉することなくねじ込み作業を行なうことができる。なお、取付具が螺子の場合には、螺子をねじ込む前にカバーの接合片がブラケットの取付片から離れていたとしても、螺子のねじ込みに伴いカバーの接合片をブラケットの取付片に向かって移動させて、カバーの壁側を所定位置に位置させることができる。
【０００７】
見栄えよくカウンター本体及びカバーを所定位置に取付けるために請求項２記載の本発明が採用した手段は、前記カウンター本体に前記カバーの手前側を連結し、前記ブラケットに設けた押圧片で前記カウンター本体に設けた係止片を壁側へ向かって押圧し、カウンター本体を前記壁面に圧着した請求項１に記載の浴室用カウンターの取付け構造である。
【０００８】
請求項２記載の本発明は、カバーの手前側をカウンター本体に連結してカバー及びカウンター本体の手前側を一体化すると共にカウンター本体を壁面に圧着することで、カバーの壁側を壁面に接近又は当接させる所定位置に位置させることができる。
【発明の効果】
【０００９】
請求項１記載の本発明に係る浴室用カウンターの取付け構造は、カウンター本体の下方に配置したカバーの壁側をブラケットに連結する取付具のねじ込み作業が、ねじ込み作業工具を壁面及びカバー表面と干渉させることなく容易にでき、カバー取付け作業能率を向上させることができる。
【００１０】
請求項２記載の本発明に係る浴室用カウンターの取付け構造は、見栄えよくカウンター本体及びカバーを所定位置に確実に取付けることができる。
【発明を実施するための最良の形態】
【００１１】
本発明に係る浴室用カウンターの取付け構造（以下、「本発明構造」と言う。）を図面に示す実施形態に基づいて説明する。図１乃至図９は本発明構造の実施の形態を示すものであって、図１は一部破断して示す全体の平面図、図２は本発明構造１の全体の底面図である。図３は上方のカウンター本体３、下方のカバー４及び端キャップ５を示すものであって、図（Ａ）は三者３，４，５を分離した状態の正面図、図（Ｂ）は三者３，４，５を連結した状態の正面図である。図４の図（Ａ）は図２のＩＶ−ＩＶ線で断面して拡大した左側面図、図（Ｂ）はブラケット６とカバー４との連結箇所を更に拡大した左側面図である。図５は図２のＶ−Ｖ線で断面して拡大した左側面図、図６は図２のＶＩ−ＶＩ線で断面した一部を拡大して示す左側面図、図７は図２のＶＩＩ−ＶＩＩ線で断面した一部を拡大して示す左側面図である。図８はカウンター本体３の底面図である。図９はカウンター本体３及びブラケット６，６，７を分離して示す斜視図である。
【００１２】
本発明構造１は、カウンター本体３とカウンター本体３の下方に配置したカバー４とからなる浴室用カウンター２を、複数個のブラケット６，６，７を介して壁面Ｗに取付けたものであり、ブラケット６（７）をカウンター本体３及びカバー４で覆い隠して見栄えよくしてある。本例の浴室用カウンター２は、浴室に設けられ、湯桶（図示略）を載置する等して利用されるものであって、一方の端（本例は左端）を浴槽（図示略）に接近させると共に他方の端（本例は右端）に端キャツプ５を取付けて見栄えよくしてある。
【００１３】
本発明構造１は、図１、図２及び図４に示す如く、壁面Ｗに取付けた複数個のブラケット６，６，７を手前へ張り出し、これらブラケット６（７）にカウンター本体３を連結しすると共に、各ブラケット６（７）の壁側取付部６ｆ（７ｆ）にカバー４の壁側接合部４ｆを螺子や樹脂製のねじ込み式ジョイント部材等からなる取付具８（本例は図４に示す頭部付きボルト）で連結してある。そして、本発明構造１は、各ブラケット６（７）の壁側取付部６ｆ（７ｆ）に手前側へ向かって上り傾斜した取付片６ｆ−１（７ｆ−１）を形成すると共に、カバー４の壁側接合部４ｆに壁側へ向かって下り傾斜した接合片４ｆ−１を形成し、重ね合わせた取付片６ｆ−１（７ｆ−１）及び接合片４ｆ−１に、ねじ込み方向（図４に示す矢符Ｅ）がカバー４の下方から壁側へ向かって斜め上方となるように取付具８を螺着して、両片６ｆ−１（７ｆ−１）及び４ｆ−１を連結してある。螺着した取付具８は、その中心線Ｆ（取付具８をねじ込むためのねじ込み作業工具Ｄの中心線と一致）がねじ込み方向（矢符Ｅ）と逆方向へ行く程に壁面Ｗ及びカバー４の表面から離れるようになっており、取付具８をねじ込むときのねじ込み作業工具Ｄを壁面Ｗ及びカバー４の表面と接触させないようにしてある。ねじ込み作業工具Ｄは、取付具８の種類に応じて、プラスドライバー、マイナスドライバー若しくはボックスドライバー等のドライバー、またはソケットレンチ等が用いられる。
【００１４】
前記カウンター本体３は、図１、図４及び図８に示す如く、合成樹脂素材を射出成型する等して成形され、上方表面に載置面３ａが形成され、周縁の適所に下垂片３ｂが形成され、下方裏面に補強用リブ３ｃ、ネジ螺着部３ｅ及び後側の係止片３ｆが形成され、手前側に排水口部３ｄが形成されている。
【００１５】
前記カバー４は、図２及び図４に示す如く、合成樹脂素材を射出成型する等して成形され、下方表面を覆い面４ａに形成し、周縁の適所に起立片４ｂが形成され、上方内面に補強用リブ４ｃが形成され、壁側寄りに前記壁側接合部４ｆが形成され、手前側に排水口部４ｄが形成されている。カバー４は、前記壁側接合部４ｆを形成するために、底面壁側寄りに側面三角形の凹部４ｇが凹設され、凹部４ｇの後側を接合片４ｆ−１で形成し、接合片４ｆ−１を壁側へ向かって下り傾斜させ、接合片４ｆ−１に取付具用挿通孔４ｆ−２を設けてある。カバー４は、凹部４ｇの上側を形成する傾斜片４ｈを壁側へ向かって上り傾斜させ、前記取付具８をねじ込むためのねじ込み作業工具Ｄ（図４参照）を傾斜片４ｈと接触させないようにしてある。
【００１６】
前記浴室用カウンター２は、ブラケット６，６，７にカウンター本体３を載置してネジ９（本例は図４に示す蝶ボルト）で連結し、カウンター本体３の周縁の下垂片３ｂに下方のカバー４の周縁の起立片４ｂを重ね合わせると共に、手前側の適所をネジ１０（本例は図５及び図６に示す頭部付きボルト）及び係合手段１１（図７参照）で連結し、カウンター本体３の排水口部３ｄ及びカバー４の排水口部４ｄで上下に開口した排水口１２を形成する。上記係合手段１１は、図３（Ａ）及び図７に示す如く、カバー４の周縁の起立片４ｂの適所から突出した係止孔付き係止片１１ａと、カウンター本体３の周縁の下垂片３ｂの裏側に突設した突起１１ｂとからなり、係止片１１ａの係止孔に突起１１ｂを係入してある。なお、カバー４は、その手前側をカウンター本体３にの手前側に連結する以外に、図示は省略したが、ブラケット６（７）に連結することもある。
【００１７】
前記ブラケット６は、図９に示す如く、金属板を折曲げ等して板金加工で成形され、起立接合片６ａと、起立接合片６ａの壁側の側縁から折曲げて延設した垂直な壁取付片６ｂと、起立接合片６ａの上方側縁から折曲げて延設した水平なカウンター本体取付片６ｃと、壁取付片６ｂの上方から延設した弾性変形する押圧片６ｄと、壁取付片６ｂの下方から手前側へ延設した前記壁側取付部６ｆの取付片６ｆ−１とを備え、壁取付片６ｂ及びカウンター本体取付片６ｃの各々にネジ挿通孔６ｅを設けると共に、取付片６ｆ−１に雌ネジ孔等からなる取付部６ｆ−２を設けてある。起立接合片６ａは、内側に開口部を成形して軽量化を図っている。前記ブラケット７は、上記ブラケット６よりも張出寸法を短くしたものであり、上記ブラケット６と同様に成形され、起立接合片７ａと、起立接合片７ａの壁側の側縁から折曲げて延設した壁取付片７ｂと、起立接合片７ａの上方側縁から折曲げて延設したカウンター本体取付片７ｃと、壁取付片７ｂの上方から延設した弾性変形する押圧片７ｄと、壁取付片７ｂの下方から手前側へ延設した前記壁側取付部７ｆの取付片７ｆ−１とを備え、壁取付片７ｂ及びカウンター本体取付片７ｃの各々にネジ挿通孔７ｅを設けると共に、取付片７ｆ−１に雌ネジ孔等からなる取付部７ｆ−２を設けてある。ブラケット６（７）は、図４に示す如く、浴室を構築する壁パネル等からなる壁面Ｗにネジ１４で取付け固定される。なお、ブラケット６は、樹脂で成形されたものでもよい。
【００１８】
次に、本発明構造１を得るための施工は、次の手順で行なわれる。
（第１工程）
図４に示す如く、壁面Ｗの所定位置に複数個のブラケット６（７）をネジ１４で取付け固定する。
【００１９】
（第２工程）
ブラケット６（７）のカウンター本体取付片６ｃ（７ｃ）にカウンター本体３を載置する。載置するときに、各ブラケット６（７）に設けた押圧片６ｄ（７ｄ）でカウンター本体３に設けた係止片３ｆを壁側へ向かって押圧し、カウンター本体３を壁面Ｗに圧着させる。カウンター本体３を載置した後に、下方からネジ９を各ブラケット６（７）のネジ挿通孔６ｅ（７ｅ）を介してカウンター本体３のネジ螺着部３ｅへねじ込んで螺着し、カウンター本体３をブラケット６（７）に連結する。
【００２０】
（第３工程）
カウンター本体３の下方にカバー４を保持しつつ上昇させ、カウンター本体３の周縁の下垂片３ｂに下方のカバー４の周縁の起立片４ｂを重ね合わせると共に、手前側の適所をネジ１０及び係合手段１１で連結する。
【００２１】
（第４工程）
カバー４の下方から取付具８をカバー４の取付具用挿通孔４ｆ−２を介して各ブラケット６（７）の取付部６ｆ−２（７ｆ−２）にねじ込んで取付け、各ブラケット６（７）にカバー４の壁側を連結する。ねじ込み作業者は、ねじ込み作業工具Ｄをカバー４の外側から壁側へ向かって斜め上方へ向かうねじ込み方向（矢符Ｅ方向）の姿勢でねじ込むことになるため、ねじ込み作業工具Ｄを壁面Ｗ及びカバー表面４ａから離した状態で壁面Ｗ及びカバー表面４ａと干渉させることなくねじ込み作業を行なうことができ、容易に取付具８をねじ込むことができる。また、ねじ込み作業工具Ｄとして電動ドライバー（図示略）を用いても、電動ドライバー本体を壁面Ｗ及びカバー表面４ａと干渉させることなく、ねじ込み作業ができるので、手動でねじ込む場合に比べてカバー取付け作業能率を向上させることができる。なお、取付具８が螺子からなるときには、連結前のカバー４の接合片４ｆ−１がブラケット６の取付片６ｆ−１から離れていたとしても、螺子８のねじ込みによる螺進に伴いカバー４の接合片４ｆ−１をブラケット６の取付片６ｆ−１に向かって移動させて、カバー４の壁側を所定位置に位置させることができる。
【００２２】
前記第１工程乃至第４工程の順番で作業されて得た本発明構造１は、カバー４の手前側をカウンター本体３に連結することでカバー４及びカウンター本体３の手前側の一体化が図れると共に、壁面Ｗにカウンター本体３を圧着させると共に、壁面Ｗに接近する所定位置にカバー４の壁側を位置させることができ、見栄えよくカウンター本体３及びカバー４を所定位置に確実に取付けることができる。
【産業上の利用可能性】
【００２３】
本発明構造１は、浴室に設けて湯桶（図示略）を載置するカウンターに適用する。
【図面の簡単な説明】
【００２４】
【図１】本発明構造の実施の形態を示すものであって一部破断して示す全体の平面図である。
【図２】同実施の形態における全体の底面図である。
【図３】同実施の形態における上方のカウンター本体、下方のカバー及び端キャップを示すものであって、図（Ａ）は三者を分離した状態の正面図、図（Ｂ）は三者を連結した状態の正面図である。
【図４】図（Ａ）は図２のＩＶ−ＩＶ線で断面して拡大した左側面図、図（Ｂ）はブラケットとカバーとの連結箇所を更に拡大した左側面図である。
【図５】図２のＶ−Ｖ線で断面して拡大した左側面図である。
【図６】図２のＶＩ−ＶＩ線で断面した一部を拡大して示す左側面図である。
【図７】図２のＶＩＩ−ＶＩＩ線で断面した一部を拡大して示す左側面図である。
【図８】同実施の形態におけるカウンター本体の底面図である。
【図９】同実施の形態におけるカウンター本体及びブラケットを分離して示す斜視図である。
【符号の説明】
【００２５】
２…浴室用カウンター、３…カウンター本体、４…カバー、４ｆ…壁側接合部、４ｆ−１…接合片、６（７）…ブラケット、６ｆ（７ｆ）…壁側取付部、６ｆ−１（７ｆ−１）…取付片、８…取付具
【図１】
0005164515.tif 000002
【図２】
0005164515.tif 000003
【図３】
0005164515.tif 000004
【図４】
0005164515.tif 000005
【図５】
0005164515.tif 000006
【図６】
0005164515.tif 000007
【図７】
0005164515.tif 000008
【図８】
0005164515.tif 000009
【図９】
0005164515.tif 000010